(57)【要約】【課題】キャリアアグリゲーションで用いる非周期的チャネル品質表示のための装置等を提供する。【解決手段】複数のコンポーネントキャリアのうちの選択されたダウンリンクコンポーネントキャリアに関する非周期的チャネル情報を提供するよう求める要求が受信され、選択されたダウンリンクコンポーネントキャリアが決定され、選択されたダウンリンクコンポーネントキャリアに関するチャネル情報が確定され、選択されたダウンリンクコンポーネントキャリアに関するチャネル情報が送信される、装置及び方法が説明される。【選択図】図２Ａ
2013524561.tif 000002
【特許請求の範囲】
【請求項１】
複数のコンポーネントキャリアのうちの選択されたダウンリンクコンポーネントキャリアに関する非周期的チャネル情報を提供するよう求める要求を受信するように構成された受信機と、
前記選択されたダウンリンクコンポーネントキャリアを決定し、前記選択されたダウンリンクコンポーネントキャリアに関するチャネル情報を確定するように構成されたプロセッサと、
前記選択されたダウンリンクコンポーネントキャリアに関する前記チャネル情報を送信するように構成された送信機と
を備える装置。
【請求項２】
前記プロセッサが、どのコンポーネントキャリアが前記非周期的チャネル情報を提供するよう求める前記要求を搬送したかに基づいて、前記選択されたダウンリンクコンポーネントキャリアを決定するように構成される、請求項１に記載の装置。
【請求項３】
前記プロセッサが、非周期的チャネル情報を提供するよう求める前記要求とともに送信されるインジケータに基づいて、前記選択されたダウンリンクコンポーネントキャリアを決定するように構成される、請求項１に記載の装置。
【請求項４】
非周期的チャネル情報を提供するよう求める前記要求及び前記インジケータが、アップリンクグラント内に含まれる、請求項３に記載の装置。
【請求項５】
前記選択されたダウンリンクコンポーネントキャリアが、所定のダウンリンクコンポーネントキャリアであり、前記プロセッサが、非周期的チャネル状態情報を提供するよう求める前記要求を受信したときに、前記所定のダウンリンクコンポーネントキャリアに関するチャネル情報を確定するように構成される、請求項１に記載の装置。
【請求項６】
前記所定のダウンリンクコンポーネントキャリアが、プライマリダウンリンクコンポーネントキャリアである、請求項５に記載の装置。
【請求項７】
前記所定のダウンリンクコンポーネントキャリアが、ネットワーク制御要素によって構成される、請求項５又は６に記載の装置。
【請求項８】
非周期的チャネル情報を提供するよう求める前記要求が、アップリンクグラント内に含まれ、前記アップリンクグラントが、スケジュールされるアップリンクコンポーネントキャリアと、前記選択されたダウンリンクコンポーネントキャリアとの組み合わせ表示を含む、請求項１に記載の装置。
【請求項９】
前記組み合わせ表示が、キャリアインジケータフィールド内に含まれる、請求項８に記載の装置。
【請求項１０】
非周期的チャネル情報を提供するよう求める前記要求が、アップリンクグラント内に含まれ、同時にアップリンクデータを伴わずに前記非周期的チャネル情報を送信するよう要求される場合、非周期的チャネル情報を提供するよう求める前記要求は、未使用のシグナリングビットもしくは状態内に含まれ、又は前記シグナリングビットもしくは状態のいくつかが、非周期的チャネル情報を提供するよう求める前記要求に関して再解釈される、請求項１に記載の装置。
【請求項１１】
前記プロセッサが、前記選択されたコンポーネントキャリア以外の他のコンポーネントキャリアのうちの少なくとも１つについてのチャネル情報を提供するように構成され、
前記送信機が、前記他のコンポーネントキャリアのうちの前記少なくとも１つについての前記チャネル情報を送信するように構成される、
請求項１から１０のいずれかに記載の装置。
【請求項１２】
前記他のコンポーネントキャリアのうちの前記少なくとも１つについての前記チャネル情報が、広帯域チャネル情報である、請求項１１に記載の装置。
【請求項１３】
前記他のコンポーネントキャリアのうちの前記少なくとも１つが、ネットワーク制御要素によって構成される、請求項１１又は１２に記載の装置。
【請求項１４】
前記他のコンポーネントキャリアのうちの前記少なくとも１つに関する情報が、非周期的チャネル情報を提供するよう求める前記要求内に含まれる、請求項１２又は１３に記載の装置。
【請求項１５】
非周期的チャネル情報を提供するよう求める前記要求が、アップリンクグラント内に含まれる、請求項１から３、５から７、又は１１から１４のいずれかに記載の装置。
【請求項１６】
複数のコンポーネントキャリアのうちの選択されたダウンリンクコンポーネントキャリアに関する非周期的チャネル情報を提供するよう求める要求を生成するように構成されるプロセッサと、
前記要求を送信するように構成される送信機と
を備える装置。
【請求項１７】
非周期的チャネル情報を提供するよう求める前記要求に応答して送信された非周期的チャネル情報を受信するように構成された受信機をさらに備える、請求項１６に記載の装置。
【請求項１８】
前記送信機が、それについての前記非周期的チャネル情報が提供される前記コンポーネントキャリア上で、前記非周期的チャネル情報を提供するよう求める前記要求を送信するように構成される、請求項１６又は１７に記載の装置。
【請求項１９】
前記プロセッサが、前記選択されたダウンリンクコンポーネントキャリアを決定するためのインジケータを生成するように構成され、前記送信機が、非周期的チャネル情報を提供するよう求める前記要求とともに前記インジケータを送信するように構成される、請求項１６又は１７に記載の装置。
【請求項２０】
非周期的チャネル情報を提供するよう求める前記要求及び前記インジケータが、アップリンクグラント内に含まれる、請求項１９に記載の装置。
【請求項２１】
前記選択されたダウンリンクコンポーネントキャリアが、所定のダウンリンクコンポーネントキャリアである、請求項１６又は１７に記載の装置。
【請求項２２】
前記所定のダウンリンクコンポーネントキャリアが、プライマリダウンリンクコンポーネントキャリアである、請求項２１に記載の装置。
【請求項２３】
前記所定のダウンリンクコンポーネントキャリアが、制御シグナリングを使用して構成される、請求項２１又は２２に記載の装置。
【請求項２４】
前記プロセッサが、非周期的チャネル情報を提供するよう求める前記要求をアップリンクグラント内に含めるように構成され、前記アップリンクグラントが、スケジュールされるアップリンクコンポーネントキャリアと、前記選択されたダウンリンクコンポーネントキャリアとの組み合わせ表示を含む、請求項１６又は１７に記載の装置。
【請求項２５】
前記プロセッサが、前記組み合わせ表示をキャリアインジケータフィールド内に含めるように構成される、請求項２４に記載の装置。
【請求項２６】
前記プロセッサが、非周期的チャネル情報を提供するよう求める前記要求をアップリンクグラント内に含めるように構成され、また同時にアップリンクデータを伴わずに前記非周期的チャネル情報を送信するよう要求される場合、非周期的チャネル情報を提供するよう求める前記要求を未使用のシグナリングビットもしくは状態内に含めるように、又は前記シグナリングビットもしくは状態のいくつかを非周期的チャネル情報を提供するよう求める前記要求に関して再解釈するように構成される、請求項１６又は１７に記載の装置。
【請求項２７】
前記プロセッサが、前記選択されたコンポーネントキャリア以外の他のコンポーネントキャリアのうちの少なくとも１つについてのチャネル情報を提供するよう求める要求を生成するように構成される、
請求項１６から２６のいずれかに記載の装置。
【請求項２８】
前記他のコンポーネントキャリアのうちの前記少なくとも１つについての前記チャネル情報が、広帯域チャネル情報である、請求項２７に記載の装置。
【請求項２９】
前記プロセッサが、非周期的チャネル情報を提供するよう求める前記要求をアップリンクグラント内に含めるように構成される、請求項１６から１９、２１から２３、又は２５から２８のいずれかに記載の装置。
【請求項３０】
複数のコンポーネントキャリアのうちの選択されたダウンリンクコンポーネントキャリアに関する非周期的チャネル情報を提供するよう求める要求を受信するステップと、
前記選択されたダウンリンクコンポーネントキャリアを決定するステップと、
前記選択されたダウンリンクコンポーネントキャリアに関するチャネル情報を確定するステップと、
前記選択されたダウンリンクコンポーネントキャリアに関する前記チャネル情報を送信するステップと
を含む方法。
【請求項３１】
前記選択されたダウンリンクコンポーネントキャリアが、どのコンポーネントキャリアが前記非周期的チャネル情報を提供するよう求める前記要求を搬送したかに基づいて、決定される、請求項３０に記載の方法。
【請求項３２】
前記選択されたダウンリンクコンポーネントキャリアが、非周期的チャネル情報を提供するよう求める前記要求とともに送信されるインジケータに基づいて、決定される、請求項３０に記載の方法。
【請求項３３】
非周期的チャネル情報を提供するよう求める前記要求及び前記インジケータが、アップリンクグラント内に含まれる、請求項３２に記載の方法。
【請求項３４】
前記選択されたダウンリンクコンポーネントキャリアが、所定のダウンリンクコンポーネントキャリアであり、非周期的チャネル情報を提供するよう求める前記要求を受信したときに、前記所定のダウンリンクコンポーネントキャリアに関する前記チャネル情報が、確定される、請求項３０に記載の方法。
【請求項３５】
前記所定のダウンリンクコンポーネントキャリアが、プライマリダウンリンクコンポーネントキャリアである、請求項３４に記載の方法。
【請求項３６】
前記所定のダウンリンクコンポーネントキャリアが、ネットワーク制御要素によって構成される、請求項３４又は３５に記載の方法。
【請求項３７】
非周期的チャネル情報を提供するよう求める前記要求が、アップリンクグラント内に含まれ、前記アップリンクグラントが、スケジュールされるアップリンクコンポーネントキャリアと、前記選択されたダウンリンクコンポーネントキャリアとの組み合わせ表示を含む、請求項３０に記載の方法。
【請求項３８】
前記組み合わせ表示が、キャリアインジケータフィールド内に含まれる、請求項３７に記載の方法。
【請求項３９】
非周期的チャネル情報を提供するよう求める前記要求が、アップリンクグラント内に含まれ、同時にアップリンクデータを伴わずに前記非周期的チャネル情報を送信するよう要求される場合、非周期的チャネル情報を提供するよう求める前記要求が、未使用のシグナリングビットもしくは状態内に含まれ、又は前記シグナリングビットもしくは状態のいくつかが、非周期的チャネル情報を提供するよう求める前記要求に関して再解釈される、請求項３０に記載の方法。
【請求項４０】
前記選択されたコンポーネントキャリア以外の他のコンポーネントキャリアのうちの少なくとも１つについてのチャネル情報を提供するステップと、
前記他のコンポーネントキャリアのうちの前記少なくとも１つについての前記チャネル情報を送信するステップと
をさらに含む、請求項３０から３９のいずれかに記載の方法。
【請求項４１】
前記他のコンポーネントキャリアのうちの前記少なくとも１つについての前記チャネル情報が、広帯域チャネル情報である、請求項４０に記載の方法。
【請求項４２】
前記他のコンポーネントキャリアのうちの前記少なくとも１つが、ネットワーク制御要素によって構成される、請求項４０又は４１に記載の方法。
【請求項４３】
前記他のコンポーネントキャリアのうちの前記少なくとも１つに関する情報が、非周期的チャネル情報を提供するよう求める前記要求内に含まれる、請求項４０又は４１に記載の方法。
【請求項４４】
非周期的チャネル情報を提供するよう求める前記要求が、アップリンクグラント内に含まれる、請求項３０から３２、３４から３８、又は４０から４３のいずれかに記載の方法。
【請求項４５】
複数のコンポーネントキャリアのうちの選択されたダウンリンクコンポーネントキャリアに関する非周期的チャネル情報を提供するよう求める要求を生成するステップと、
前記要求を送信するステップと
を含む方法。
【請求項４６】
非周期的チャネル情報を提供するよう求める前記要求に応答して送信された非周期的チャネル情報を受信するステップ
をさらに含む、請求項４５に記載の方法。
【請求項４７】
それについての前記非周期的チャネル情報が提供される前記コンポーネントキャリア上で、前記非周期的チャネル情報を提供するよう求める前記要求が送信される、請求項４５又は４６に記載の方法。
【請求項４８】
前記選択されたダウンリンクコンポーネントキャリアを決定するためのインジケータを生成するステップであって、前記インジケータが、非周期的チャネル情報を提供するよう求める前記要求とともに送信される、ステップ
をさらに含む、請求項４５又は４６に記載の方法。
【請求項４９】
非周期的チャネル情報を提供するよう求める前記要求及び前記インジケータが、アップリンクグラント内に含まれる、請求項４８に記載の方法。
【請求項５０】
前記選択されたダウンリンクコンポーネントキャリアが、所定のダウンリンクコンポーネントキャリアである、請求項４５又は４６に記載の方法。
【請求項５１】
前記所定のダウンリンクコンポーネントキャリアが、プライマリダウンリンクコンポーネントキャリアである、請求項５０に記載の方法。
【請求項５２】
前記所定のダウンリンクコンポーネントキャリアが、制御シグナリングを使用して構成される、請求項５０又は５１に記載の方法。
【請求項５３】
含まれる非周期的チャネル情報を提供するよう求める前記要求をアップリンクグラント内に含めるステップであって、前記アップリンクグラントが、スケジュールされるアップリンクコンポーネントキャリアと、前記選択されたダウンリンクコンポーネントキャリアとの組み合わせ表示を含む、ステップ
をさらに含む、請求項４５又は４６に記載の方法。
【請求項５４】
前記組み合わせ表示が、キャリアインジケータフィールド内に含まれる、請求項５３に記載の方法。
【請求項５５】
非周期的チャネル情報を提供するよう求める前記要求をアップリンクグラント内に含めるステップと、
同時にアップリンクデータを伴わずに前記非周期的チャネル情報を送信するよう要求される場合、非周期的チャネル情報を提供するよう求める前記要求を未使用のシグナリングビットもしくは状態内に含めるステップ、又は前記シグナリングビットもしくは状態のいくつかを非周期的チャネル情報を提供するよう求める前記要求に関して再解釈するステップと
をさらに含む、請求項４５又は４６に記載の方法。
【請求項５６】
前記選択されたコンポーネントキャリア以外の他のコンポーネントキャリアのうちの少なくとも１つについてのチャネル情報を提供するよう求める要求を生成するステップ
をさらに含む、請求項４５から５５のいずれかに記載の方法。
【請求項５７】
前記他のコンポーネントキャリアのうちの前記少なくとも１つについての前記チャネル情報が、広帯域チャネル情報である、請求項５６に記載の方法。
【請求項５８】
非周期的チャネル情報を提供するよう求める前記要求が、アップリンクグラント内に含まれる、請求項４５から４８、５０から５２、又は５６から５７のいずれかに記載の方法。
【請求項５９】
処理手段又はモジュール上で実行されたときに、請求項３０から５８のいずれか１項に記載の方法を実行するためのコード手段を含むコンピュータプログラム。
【請求項６０】
前記コンピュータプログラムが、コンピュータ可読媒体上に具現される、請求項５９に記載のコンピュータプログラム。
【発明の詳細な説明】
【技術分野】
【０００１】
本発明は、キャリアアグリゲーションで用いる非周期的チャネル品質表示のための装置、方法、及びコンピュータプログラム製品に関する。
【背景技術】
【０００２】
本明細書で使用される頭字語の意味は、以下の通りとする。
３ＧＰＰ  第３世代パートナシッププロジェクト
ＣＡ  キャリアアグリゲーション
ＣＣ  コンポーネントキャリア
ＣＩＦ  キャリアインジケータフィールド
ＣＱＩ  チャネル品質インジケータ
ＣＲＣ  巡回冗長検査（Ｃｙｃｌｉｃ  Ｒｅｄｕｎｄａｎｃｙ  Ｃｈｅｃｋ）
ＣＳＩ  チャネル状態情報）（例えば、ＣＱＩ、ＰＭＩ、及びＲＩを含む）
ＤＣＩ  ダウンリンク制御情報
ＤＬ  ダウンリンク
ＤＲＸ／ＤＴＸ  不連続送信／検出
ｅＮｏｄｅ−Ｂ  ＬＴＥ基地局（ｅＮＢとも呼ばれる）
ＦＤＰＳ  周波数領域（ドメイン）パケットスケジューリング
ＬＴＥ  ロングタームエボリューション
ＬＴＥ−Ａ  ＬＴＥアドバンスト（ＬＴＥ−Ａｄｖａｎｃｅｄ）
ＭＡＣ  媒体アクセス制御
ＭＣＳ  変調及び符号化方式
ＭＩＭＯ  多入力多出力
ＮＤＩ  新規データインジケータ
ＰＤＣＣＨ  物理ダウンリンク制御チャネル
ＰＭＩ  プリコーディング行列インジケータ（Ｐｒｅｃｏｄｉｎｇ  Ｍａｔｒｉｘ  Ｉｎｄｉｃａｔｏｒ）
ＰＲＢ  物理リソースブロック
ＰＵＣＣＨ  物理アップリンク制御チャネル
ＰＵＳＣＨ  物理アップリンク共有チャネル
ＲＩ  ランクインジケータ
ＲＲＣ  無線リソース制御
ＳＵ−ＭＩＭＯ  シングルユーザ多入力多出力
ＵＥ  ユーザ機器
ＵＬ  アップリンク
【０００３】
本発明のいくつかの実施形態は、例えば、３ＧＰＰ  ＬＴＥ  Ｒｅｌ−１０の部分となる可能性がきわめて高い、ＬＴＥアドバンストシステムに関する。より具体的には、キャリアアグリゲーションを用いる場合のチャネル状態情報（ＣＳＩ）フィードバックシグナリングに焦点が当てられる。しかし、実施形態は、他のシステム及びリリースにも同様に適用できることに留意されたい。
ＬＴＥアドバンストは、ＩＭＴアドバンスト（ＩＭＴ−Ａｄｖａｎｃｅｄ）についてのＩＴＵ−Ｒ要件を満たすように、ＬＴＥ  Ｒｅｌ−８システムが進化したものである。３ＧＰＰは、ＲＡＮ＃３９において、ＬＴＥアドバンストの新しい検査項目（スタディアイテム）を承認した（２００８年３月）。キャリアアグリゲーションは、新しいシステムの帯域幅とピークデータレートの要件セットを満たすために必要とされる、１つのキーテクノロジ構成要素である。
上で説明したように、本発明の実施形態は、コンポーネントキャリアアグリゲーション（又はチャネルボンディング）に関し、コンポーネントキャリアアグリゲーションでは、全システム帯域幅は、図３に示されるように、１組のコンポーネントキャリアから成る。図３は、不連続な帯域を用いた場合のキャリアアグリゲーションの一例を示しており、全システム帯域幅は、キャリア周波数がｆ1、ｆ2、．．．、ｆNである、１組のコンポーネントキャリアＢＷ1、ＢＷ2、．．．、ＢＷNを含む。
【０００４】
３ＧＰＰにおいて進行中の（現在は検査項目フェーズにある）ＬＴＥアドバンストの規格化は、キャリアアグリゲーションを前提としており、各々が２０ＭＨｚのコンポーネントキャリアを最大で５つ統合することによって、最大で１００ＭＨｚの帯域幅を形成する。異なる変調及び符号化方式（ＭＣＳ）を用いる異なるトランスポートブロックは、同じユーザに送信されるとしても、異なるコンポーネントキャリア上で送信することができる。そのような方式を効率的な周波数領域リンクアダプテーションスケジューリング（ｆｒｅｑｕｅｎｃｙ  ｄｏｍａｉｎ  ｌｉｎｋ  ａｄａｐｔａｔｉｏｎ  ｓｃｈｅｄｕｌｉｎｇ）を用いて助長するには、ＵＥは、周波数選択性チャネル状態情報（ＣＳＩ）フィードバックを提供しなければならない。ＣＳＩは、チャネル品質インジケータ（ＣＱＩ）、プリコーディング行列インジケータ（ＰＭＩ）、ランクインジケータ（ＲＩ）、及び／又は、チャネル周波数応答もしくはインパルス応答、及び／又は、チャネル共分散行列（ｃｈａｎｎｅｌ  ｃｏｖａｒｉａｎｃｅ  ｍａｔｒｉｘ）を含むことができる。加えて、ＣＳＩレポートは、レポートが言及するコンポーネントキャリア又はサブバンドの表示を含むことができる。
周波数依存パケットスケジューリング（ＦＤＰＳ）から利益を得るには、伝搬チャネルの周波数領域挙動についての正確な情報を獲得することが必要である。ＦＤＰＳを可能にするため、いくつかの周波数選択性ＣＳＩレポーティングモードが、ＬＴＥ  Ｒｅｌ−８仕様に追加された。ＣＳＩレポートのサイズは、レポーティングモード、システム帯域幅、及びランクに依存する。ＬＴＥ  Ｒｅｌ−８におけるＣＳＩレポートの最大サイズは、ＣＲＣビットを除いて、６４ビットである（モード３−１、２０ＭＨｚ帯域幅、ランク＞１）。
【０００５】
これだと、複数のコンポーネントキャリアを使用した場合、レポートが大きくなる。したがって、レポートのサイズを小さくすべきである。
【発明の概要】
【発明が解決しようとする課題】
【０００６】
したがって、本発明の目的は、従来技術が有する上述の問題を克服することである。
【課題を解決するための手段】
【０００７】
本発明のいくつかの実施形態によれば、複数のコンポーネントキャリアのうちの選択されるダウンリンクコンポーネントキャリアに関する非周期的チャネル情報を提供するよう求める要求が受信され、選択されるダウンリンクコンポーネントキャリアが決定され、選択されたダウンリンクコンポーネントキャリアに関するチャネル情報が確定され、選択されたダウンリンクコンポーネントキャリアに関するチャネル情報が送信される、装置及び方法が提供される。
本発明のいくつかの実施形態によれば、複数のコンポーネントキャリアのうちの選択されるダウンリンクコンポーネントキャリアに関する非周期的チャネル情報を提供するよう求める要求が生成され、その要求が送信される、装置及び方法が提供される。
上記及び他の目的、特徴、詳細、及び利点は、添付の図面と併せて理解すべき本発明の実施形態についての以下の詳細な説明から、より完全に明らかとなろう。
【図面の簡単な説明】
【０００８】
【図１】本発明のいくつかの実施形態による、ユーザ機器（ＵＥ）及びｅＮｏｄｅ−Ｂの構造を示す図である。
【図２Ａ】本発明のいくつかの実施形態による、ユーザ機器（ＵＥ）によって実施されるプロセスを示す図である。
【図２Ｂ】本発明のいくつかの実施形態による、ｅＮｏｄｅ−Ｂによって実施されるプロセスを示す図である。
【図３】キャリアアグリゲーションの一例を示す図である。
【発明を実施するための形態】
【０００９】
以下では、本発明の実施形態についての説明が行われる。しかし、説明がもっぱら例によって与えられること、及び説明される実施形態が本発明をその実施形態に限定するとは決して理解すべきではないことを理解されたい。
本出願の導入部において言及したように、チャネル状態情報（ＣＳＩ）又はチャネル品質インジケータ（ＣＱＩ）レポートのサイズは、複数のコンポーネントキャリア（ＣＣ）が使用されるキャリアアグリゲーションとの関連においては、小さくすべきである。
ＬＴＥ  Ｒｅｌ−８及びＲｅｌ−９では、ｅＮｏｄｅ−Ｂが、ＰＵＳＣＨ上で（ＵＥがＤＲＸ／ＤＴＸを行うように構成されている場合のサブフレームを除く）任意のサブフレームに収めて非周期的ＣＳＩレポートを送信することをＵＥに強制できることが、３ＧＰＰ  ＲＡＮ  ＷＧ＃１において規定された。すなわち、周期的ＣＳＩレポートとは対照的に、非周期的ＣＳＩレポートは、ＵＥがその送信を促されたときに、ＵＥによって送信される。
非周期的ＣＳＩ要求は、（３６．２１２において規定されるＤＣＩフォーマット０を使用する）アップリンクグラント（ｕｐｌｉｎｋ  ｇｒａｎｔ）内の特定の１ビットを用いてトリガされる。さらに、同時にいかなるＵＬデータ送信も伴わずに、すなわち、非周期的ＣＳＩだけの、非周期的ＣＳＩ送信を要求することも可能である。各ＵＥは、１つの非周期的ＣＳＩレポーティングモードを使用するように、ＲＲＣシグナリングを介して、常に半静的に構成される（明示的な構成が送信される前は、送信モードに応じたデフォルトモードが仮定される）。
キャリアアグリゲーションを用いる場合は、加えて、巧妙なＣＳＩが必要とされる。ＬＴＥアドバンスト（Ｒｅｌ−１０）は、最大で５つのＤＬ  ＣＣをサポートする。したがって、複数のＣＣに合わせてＲｅｌ−８レポーティングを単純に拡張した場合、非常に大きなレポートがもたらされる（例えば、５×６４ビット＝３２０ビット）。これは、アップリンクシグナリングの観点から望ましいことではない。第１に、そのような高いオーバヘッドは、アップリンク容量をかなり制限する。第２に、多くの場合、そのような大きなペイロードに対して十分なＵＬカバレージを保証することが可能ではない。したがって、ＵＬシグナリング負担を軽減するために、何らかの圧縮方法を検討する必要があることは明らかである。
【００１０】
したがって、統合されたスペクトルを効率的に使用するには、複数のコンポーネントキャリア（ＣＣ）のサポートに合わせて、非周期的ＣＳＩレポーティングを手直しする必要がある。本発明の実施形態は、ＤＬシグナリングに関連する態様に重点を置いて報告する。
本発明の実施形態によれば、ある特定のＤＬ  ＣＣについての詳細な非周期的チャネル情報（例えばＣＳＩ）レポート（加えて、潜在的には、他のＣＣについての何らかの粗略な広帯域ＣＳＩ）を、それに従って要求することが可能な手法が採用される。実施形態は、これをどのように実現するかという観点から、ＤＬ制御シグナリングメカニズムについて説明する。
以下では、いくつかの実施形態は、図１に関して説明される。特に、図１は、以下で説明される実施形態のいくつかで使用される、ネットワーク要素の構造を示している。
【００１１】
参照番号１１は、実施形態に従ってプロセスを実施する装置の一例として、ユーザ機器（ＵＥ）を示している。特に、ＵＥは、複数のコンポーネントキャリアのうちの選択されるダウンリンクコンポーネントキャリアに関する非周期的チャネル情報を提供するよう求める要求（例えば、以下で説明される非周期的ＣＱＩ又はＣＳＩトリガ）を受信するように構成された、受信機（受信手段）１１１を備える。ＵＥは、選択されるダウンリンクコンポーネントキャリアを決定し、選択されたダウンリンクコンポーネントキャリアに関するチャネル情報を確定するように構成された、プロセッサ（処理手段）１１２をさらに備える。すなわち、プロセッサは、監視又は評価されるコンポーネントキャリアを、例えば、以下で説明される情報に基づいて決定する。その後、プロセッサは、コンポーネントキャリアのチャネル品質などを検出するために、チャネルを監視する。さらに、ＵＥは、チャネル情報（例えば、非周期的ＣＳＩレポート又はフィードバック）を送信するように構成された、送信機（送信手段）１１３も備える。
送信機１１１、プロセッサ１１２、及び／又は、送信機１１３は、例えば、プロセッサ１１２が、対応するメッセージ、要求などを、ＵＥの送信ユニットなどから受け取り、及び／又は、ＵＥの送信ユニットなどに送るなど、１つのユニットとして提供できることに留意されたい。さらに、プロセッサ１１２は、ＵＥの中央プロセッサの部分とすることができ、及び／又は、さらなる機能を実施するように構成することができる。
【００１２】
参照番号１２は、上で説明した非周期的チャネル情報を提供するよう求める要求を送信するネットワーク制御要素又は装置の一例として、ｅＮｏｄｅ−Ｂを示している。ｅＮｏｄｅ−Ｂ  １２は、複数のコンポーネントキャリアのうちの選択されるダウンリンクコンポーネントキャリアに関する非周期的チャネル情報を提供するよう求める要求（例えば、以下で説明される非周期的ＣＱＩ又はＣＳＩトリガ）を生成するように構成された、プロセッサ（処理手段）１２２を備える。さらに、送信機（送信手段）１２１が、その要求を送信するように構成される。さらに、ｅＮｏｄｅ−Ｂ  １２は、非周期的チャネル情報を提供するよう求める要求に応答して送信された非周期的チャネル情報を受信するように構成された、受信機（受信手段）１２３を備えることができる。
【００１３】
したがって、ｅＮｏｄｅ−Ｂの送信機１２１は、（図１において上側の矢印によって示される）要求又はトリガを送信し、プロセッサ１１２は、選択されたコンポーネントキャリア上のチャネル状態、及び／又は、チャネル品質を検出し、ＵＥ  １２の送信機１１３は、（図１において下側の矢印によって示される）対応するレポートを、ｅＮｏｄｅ−Ｂの受信機１２３に送信する。
【００１４】
ＵＥ  １１の場合と同様に、送信機１２１、プロセッサ１２２、及び／又は、受信機１２３は、例えば、プロセッサ１２２が、対応するメッセージ、要求などを、ｅＮｏｄｅ−Ｂの送信ユニットなどから受け取り、及び／又は、ｅＮｏｄｅ−Ｂの送信ユニットなどに送るなど、１つのユニットとして提供できることに留意されたい。さらに、プロセッサ１２２は、ｅＮｏｄｅ−Ｂの中央プロセッサの部分とすることができ、及び／又は、さらなる機能を実施するように構成することができる。
図２Ａ及び図２Ｂは、本発明の実施形態による方法を示している。
図２Ａは、例えばユーザ機器などの装置によって実施されるプロセスを示している。ステップＳ１において、複数のコンポーネントキャリアのうちの選択されるダウンリンクコンポーネントキャリアに関する非周期的チャネル情報を提供するよう求める要求（例えば、以下で説明される非周期的ＣＱＩ又はＣＳＩトリガ）が受信される。ステップＳ２において、選択されるダウンリンクコンポーネントキャリアが決定される。ステップＳ３において、選択されたダウンリンクコンポーネントキャリアに関するチャネル情報が確定され、ステップＳ４において、選択されたダウンリンクコンポーネントキャリアに関するチャネル情報が（例えば、ｅＮｏｄｅ−Ｂなどのネットワーク制御要素に）送信される。
図２Ｂは、例えばｅＮｏｄｅ−Ｂなどのネットワーク制御要素によって実施されるプロセスを示している。ステップＳ１１において、複数のコンポーネントキャリアのうちの選択されるダウンリンクコンポーネントキャリアに関する非周期的チャネル情報を提供するよう求める要求が生成され、ステップＳ１２において、その要求が送信される。
【００１５】
さらに、方法は、非周期的チャネル情報を提供するよう求める要求に応答して送信された非周期的チャネル情報が受信される、ステップＳ１３を含むことができる。
したがって、本発明の実施形態によれば、キャリアアグリゲーションを用いる場合の非周期的ＣＳＩフィードバックのためのシグナリングが達成される。
したがって、本発明の実施形態によれば、キャリアアグリゲーションを用いる場合の非周期的ＣＳＩレポートトリガリングのために必要とされる、ＤＬシグナリングメカニズム及びルールが定められる。いくつかの実施形態に関して、数個の代替的／補足的オプションが以下で列挙される。すべての代替法にとって共通の指名者（ｎｏｍｉｎａｔｏｒ）は、それらが、どのＤＬ  ＣＣについての詳細な周波数選択性ＣＳＩレポートを導出するかを指示するための方法を提供することである。加えて、ＤＬ  ＣＣ監視セット内の他のＤＬ  ＣＣについての広帯域レポートも、同時に報告することができる。
【００１６】
上で説明された、選択されるダウンリンクコンポーネントキャリアは、ＣＣセット内のプライマリコンポーネントキャリアとすることができ、又はセットのうちの任意の選択されたコンポーネントキャリアとすることができる。すなわち、例えば、図３に示されるコンポーネントキャリアＢＷ1〜ＢＷNのいずれか１つを、以下で説明する様々な方法によって、事前に決定し、選択されたダウンリンクコンポーネントキャリアとしてＵＥに指示することができる。
上で説明されたチャネル情報は、上で言及したように、ＣＳＩ又はＣＱＩを含むことができることに留意されたい。しかし、実施形態は、ＣＳＩ及びＣＱＩの特定の定義に限定されない。
【００１７】
以下で説明される実施形態によれば、（非周期的チャネル情報を提供するよう求める要求の一例としての）非周期的ＣＳＩトリガは、アップリンク（ＵＬ）グラント内に収めて送信されることに留意されたい。しかし、実施形態は、これに限定されず、要求（又はトリガ）は、他の適切な方法で送信することができる。
さらに、以下で説明される第１の実施形態から第６の実施形態では、上で説明された基本構造及び機能が適用される。したがって、実施形態の異なる態様についてだけ説明する。
【００１８】
第１の実施形態によれば、非周期的ＣＳＩトリガを伴うＵＬグラントを搬送したＤＬ  ＣＣから、詳細な周波数選択性非周期的ＣＳＩレポートが導出される。
すなわち、ＵＥ  １１は、特定のコンポーネントキャリア上で、トリガ（非周期的チャネル情報を提供するよう求める要求）を載せたＵＬグラントを受信した場合、この特定のコンポーネントキャリア上のチャネル状態又は品質情報を検出しなければならないことを知る。
したがって、どの特定のコンポーネントキャリアを選択するかの指示は、この特定のコンポーネントキャリア上で、要求を、この場合は、要求を含むＵＬグラントを送信することによって提供される。
【００１９】
第２の実施形態によれば、非周期的ＣＳＩレポートをトリガするために使用されるＵＬグラント内で、どのＣＣについての周波数選択性レポートを計算すべきかを指摘するインジケータが提供される。例えば、インジケータは、例えば、ＬＴＥ−Ａによって規定される５つのコンポーネントキャリアを指示できるように、１〜３ビットを含むことができる。
特に、このインジケータは、ＣＣ間でデータをスケジュールするために使用される、キャリアインジケータフィールド（ＣＩＦ）に類似したものとすることができる。
代替として、ＵＬグラント内のいくつかの未使用フィールドを使用することができる。例えば、Ｒｅｌ’８のＤＣＩ  ｆｏｒｍａｔ  ０は、単一のパディングビットを有し、プライマリコンポーネントキャリアが報告されるべきか、それともセカンダリＣＣの１つが報告されるべきかを指示するために、潜在的には、単一のパディングビットを使用することができる。例えば、セカンダリＣＣは、ホッピングパターンを使用することによって、指示することができる。
例えば、ホッピングパターンは、ｗｗ．ＩＰ．ｃｏｍ上に公開されている文献「Ｄｏｗｎｌｉｎｋ  ＰＤＣＣＨ  ｓｉｇｎａｌｉｎｇ  ａｎｄ  ＣＱＩ  ｍｅａｓｕｒｅｍｅｎｔ  ｆｏｒ  ＬＴＥ−Ａ  ｂａｎｄｗｉｄｔｈ  ｅｘｔｅｎｓｉｏｎ」、Ｎｏ．ＩＰＣＯＭ０００１７８１７３Ｄにおいて説明されている。詳細には、監視されるセカンダリコンポーネントキャリアは、Ｃnによって指示され、Ｍ個のコンポーネントキャリアＣ0，Ｃ1．．．ＣMがある場合、ｎの値は、以下の通りに計算することができ、
ｎ＝（ＳＦＮ＋ＵＥ  ＩＤ）  ｍｏｄ  Ｍ
ここで、ＳＦＮは、システムフレーム番号であり、ＵＥ  ＩＤは、ＵＥ識別番号（通常は１６ビット）である。その場合、Ｃnが、選択／使用されるセカンダリコンポーネントキャリアである。ＬＴＥ  １０では、すべての利用可能なＣＣ（５個）が使用される場合（すなわち、１つはプライマリＣＣ、４つはセカンダリＣＣ）、Ｍを４とすることができる。
【００２０】
したがって、要約すると、第２の実施形態によれば、チャネル状態を検出すべきコンポーネントキャリアを指定するための特定のインジケータが使用される。
第３の実施形態によれば、ＵＥは、非周期的ＣＳＩの送信するための要求とともにＵＬグラントを受信した場合は常に、プライマリＤＬ  ＣＣについて構成されたＣＳＩレポートを送信する。すなわち、この場合は、ＣＳＩレポートを確定すべきコンポーネントキャリアは、事前に決定されており、すなわち、それは、プライマリコンポーネントキャリアである。
【００２１】
この場合、（ＲＲＣを介して構成される）構成されたＣＳＩレポートは、周波数選択性とすることができる。
加えて、ＵＥは、構成及び活動化されている他のＣＣについての広帯域ＣＳＩも送信することができる。
【００２２】
第４の実施形態によれば、スケジュールされるＵＬ  ＣＣと、それについての周波数選択性ＣＳＩレポートが導出されるＤＬ  ＣＣとの組み合わせ表示を、ＵＬグラントに含ませる。すなわち、第４の実施形態によれば、ＵＬグラントＣＩＦ設計では、報告すべきＤＬ  ＣＣも同時に指示する可能性が考慮される。
これは、例えば、ＳＵ−ＭＩＭＯ（シングルユーザ多入力多出力）のために検討されている新しい潜在的なＵＬリソースグラントの設計中に行うことができる。このグラントは、完全に新しいデザインを有し、ＣＳＩ（又はＣＱＩ）レポーティングモードのより高度な表示のための余地を潜在的に残している。
第５の実施形態によれば、それについての周波数選択性非周期的ＣＳＩレポートが導出されるＤＬ  ＣＣは、より高位のレイヤシグナリング（例えば、ＲＲＣ又はＭＡＣ）を使用して、半静的に構成される。すなわち、第３の実施形態による場合と同様に、それについてのレポートが確定されるコンポーネントキャリアは、事前決定又は事前設定され、そのため、ＵＥ  １２は、非周期的トリガを受信したとき、どのコンポーネントキャリアを評価すべきかを知っている。
第６の実施形態によれば、選択されたコンポーネントキャリアを指示するために、ＵＬグラントの未使用部分が使用される。
すなわち、同時にＵＬデータを伴わずに非周期的ＣＳＩレポートを送信するよう要求される場合、ＵＬグラント内には、（例えば、ＭＣＳ、ＮＤＩ、及びリソース割り当てシグナリングの）いくつかのシグナリングビット／状態が未使用で存在する。それらは、周波数選択性ＣＳＩが測定及び報告されるＤＬ  ＣＣを指示するために利用することができ、そのため、ＤＬ  ＣＣを指示するための情報を、そのような未使用シグナリングビットもしくは状態内に含めることができ、又はシグナリングビットもしくは状態のいくつかを、この情報に関して再解釈することができる。
【００２３】
したがって、上で説明された実施形態によって、以下の利益が達成される。
ｅＮｏｄｅ−Ｂにとっては、所望のＣＣについての詳細な非周期的ＣＳＩレポートを要求する能力は、効率的なスケジューリング及びリンクアダプテーション決定を補足するのに有益である。例として、ｅＮｏｄｅ−Ｂが、もっぱら単一のＣＣ上で送信される特定のＵＥ宛てのデータを有する場合が挙げられる。そのような場合、ｅＮｏｄｅ−Ｂが、スケジューリングが行われようとしている所望のＣＣについてのＣＳＩを要求することは有益である。
現在、これを実現するのに利用可能なメカニズムは存在せず、したがって、そのようなメカニズムを規格化する必要がある。
上で説明されたソリューションは、新しいＣＡ特有のレポーティングフォーマットを定義する必要がないので、規格化には最小限の労力しか必要としない。
上で説明されたいくつかの実施形態は、ＬＴＥ−Ａを対象としていることに留意されたい。しかし、ＬＴＥ−Ａは、一例にすぎず、本発明の実施形態は、システム帯域幅がサブバンドに分割され、チャネル品質に関してコンポーネントキャリアが監視される、任意の無線アクセス技術に適用することができる。
【００２４】
本発明のいくつかの実施形態の第１の態様によれば、
複数のコンポーネントキャリアのうちの選択されるダウンリンクコンポーネントキャリアに関する非周期的チャネル情報を提供するよう求める要求を受信するように構成された受信機と、
選択されるダウンリンクコンポーネントキャリアを決定し、選択されたダウンリンクコンポーネントキャリアに関するチャネル情報を確定するように構成されたプロセッサと、
選択されたダウンリンクコンポーネントキャリアに関するチャネル情報を送信するように構成された送信機と
を備える装置が提供される。
第１の態様は、以下のように変更することができる。
【００２５】
プロセッサは、どのコンポーネントキャリアが非周期的チャネル情報を提供するよう求める要求を搬送したかに基づいて、選択されるダウンリンクコンポーネントキャリアを決定するように構成することができる。
プロセッサは、非周期的チャネル情報を提供するよう求める要求とともに送信されるインジケータに基づいて、選択されるダウンリンクコンポーネントキャリアを決定するように構成することができる。
非周期的チャネル情報を提供するよう求める要求及びインジケータは、アップリンクグラント内に含めることができる。
【００２６】
選択されるダウンリンクコンポーネントキャリアは、所定のダウンリンクコンポーネントキャリアとすることができ、プロセッサは、非周期的チャネル状態情報を提供するよう求める要求を受信したときに、所定のダウンリンクコンポーネントキャリアに関するチャネル情報を確定するように構成することができる。
所定のダウンリンクコンポーネントキャリアは、プライマリダウンリンクコンポーネントキャリアとすることができる。
所定のダウンリンクコンポーネントキャリアは、制御シグナリングを使用して構成することができる。
所定のダウンリンクコンポーネントキャリアは、ネットワーク制御要素によって構成することができる。
非周期的チャネル情報を提供するよう求める要求は、アップリンクグラント内に含めることができ、アップリンクグラントは、スケジュールされるアップリンクコンポーネントキャリアと、選択されたダウンリンクコンポーネントキャリアとの組み合わせ表示を含む。
組み合わせ表示は、キャリアインジケータフィールド内に含めることができる。
非周期的チャネル情報を提供するよう求める要求は、アップリンクグラント内に含めることができ、同時にアップリンクデータを伴わずに非周期的チャネル情報を送信するよう要求される場合、非周期的チャネル情報を提供するよう求める要求は、未使用のシグナリングビットもしくは状態内に含めることができ、又はシグナリングビットもしくは状態のいくつかは、非周期的チャネル情報を提供するよう求める要求に関して再解釈される。
プロセッサは、選択されたコンポーネントキャリア以外の他のコンポーネントキャリアのうちの少なくとも１つについてのチャネル情報を提供するように構成することができ、送信機は、他のコンポーネントキャリアのうちの少なくとも１つについてのチャネル情報を送信するように構成することができる。
【００２７】
他のコンポーネントキャリアのうちの少なくとも１つについてのチャネル情報は、広帯域チャネル情報とすることができる。
他のコンポーネントキャリアのうちの少なくとも１つは、制御シグナリングを使用して構成することができる。
他のコンポーネントキャリアのうちの少なくとも１つは、ネットワーク制御要素による制御シグナリングを使用して構成することができる。
【００２８】
制御シグナリングは、無線リソース制御シグナリング又は媒体アクセス制御シグナリングとすることができる。
他のコンポーネントキャリアのうちの少なくとも１つに関する情報は、非周期的チャネル情報を提供するよう求める要求内に含めることができる。
非周期的チャネル情報を提供するよう求める要求は、アップリンクグラント内に含めることができる。
【００２９】
送信機は、チャネル情報をネットワーク制御要素に送信するように構成することができる。
ネットワーク制御要素は、ｅＮｏｄｅ−Ｂ、中継ノード、又はホームｅＮｏｄｅ−Ｂとすることができる。
チャネル情報は、チャネル状態情報及び／又はチャネル品質インジケータを含むことができる。
装置は、ユーザ機器とすることができ、又はユーザ機器の部分とすることができる。
【００３０】
本発明のいくつかの実施形態の第２の態様によれば、
複数のコンポーネントキャリアのうちの選択されるダウンリンクコンポーネントキャリアに関する非周期的チャネル情報を提供するよう求める要求を生成するように構成されるプロセッサと、
その要求を送信するように構成される送信機と
を備える装置が提供される。
第２の態様は、以下のように変更することができる。
装置は、非周期的チャネル情報を提供するよう求める要求に応答して送信された非周期的チャネル情報を受信するように構成された受信機をさらに備えることができる。
送信機は、それについての非周期的チャネル情報が提供されるコンポーネントキャリア上で、非周期的チャネル情報を提供するよう求める要求を送信するように構成することができる。
プロセッサは、選択されるダウンリンクコンポーネントキャリアを決定するためのインジケータを生成するように構成することができ、送信機は、非周期的チャネル情報を提供するよう求める要求とともにインジケータを送信するように構成することができる。
【００３１】
非周期的チャネル情報を提供するよう求める要求及びインジケータは、アップリンクグラント内に含めることができる。
選択されるダウンリンクコンポーネントキャリアは、所定のダウンリンクコンポーネントキャリアとすることができる。
所定のダウンリンクコンポーネントキャリアは、プライマリダウンリンクコンポーネントキャリアとすることができる。
所定のダウンリンクコンポーネントキャリアは、制御シグナリングを使用して構成することができる。
制御シグナリングは、無線リソース制御シグナリング又は媒体アクセス制御シグナリングとすることができる。
プロセッサは、非周期的チャネル情報を提供するよう求める要求をアップリンクグラント内に含めるように構成することができ、アップリンクグラントは、スケジュールされるアップリンクコンポーネントキャリアと、選択されたダウンリンクコンポーネントキャリアとの組み合わせ表示を含むことができる。
プロセッサは、組み合わせ表示をキャリアインジケータフィールド内に含めるように構成することができる。
プロセッサは、非周期的チャネル情報を提供するよう求める要求をアップリンクグラント内に含めるように構成することができ、また同時にアップリンクデータを伴わずに非周期的チャネル情報を送信するよう要求される場合、非周期的チャネル情報を提供するよう求める要求を未使用のシグナリングビットもしくは状態内に含めるように、又はシグナリングビットもしくは状態のいくつかを非周期的チャネル情報を提供するよう求める要求に関して再解釈できるように構成することができる。
プロセッサは、選択されたコンポーネントキャリア以外の他のコンポーネントキャリアのうちの少なくとも１つについてのチャネル情報を提供するよう求める要求を生成するように構成することができる。
他のコンポーネントキャリアのうちの少なくとも１つについてのチャネル情報は、広帯域チャネル情報とすることができる。
【００３２】
受信機は、非周期的チャネル情報をユーザ機器から受信するように構成することができる。
プロセッサは、非周期的チャネル情報を提供するよう求める要求をアップリンクグラント内に含めるように構成することができる。
装置は、ネットワーク制御要素とすることができ、又はネットワーク制御要素の部分とすることができる。ネットワーク制御要素は、ｅＮｏｄｅ−Ｂとすることができる。
チャネル情報は、チャネル状態情報、及び／又は、チャネル品質インジケータを含むことができる。
【００３３】
本発明のいくつかの実施形態の第３の態様によれば、
複数のコンポーネントキャリアのうちの選択されるダウンリンクコンポーネントキャリアに関する非周期的チャネル情報を提供するよう求める要求を受信するステップと、
選択されるダウンリンクコンポーネントキャリアを決定するステップと、
選択されたダウンリンクコンポーネントキャリアに関するチャネル情報を確定するステップと、
選択されたダウンリンクコンポーネントキャリアに関するチャネル情報を送信するステップと
を含む方法が提供される。
第３の態様は、以下のように変更することができる。
選択されるダウンリンクコンポーネントキャリアは、どのコンポーネントキャリアが非周期的チャネル情報を提供するよう求める要求を搬送したかに基づいて、決定することができる。
選択されるダウンリンクコンポーネントキャリアは、非周期的チャネル情報を提供するよう求める要求とともに送信されるインジケータに基づいて、決定することができる。
【００３４】
非周期的チャネル情報を提供するよう求める要求及びインジケータは、アップリンクグラント内に含めることができる。
選択されるダウンリンクコンポーネントキャリアは、所定のダウンリンクコンポーネントキャリアとすることができ、非周期的チャネル情報を提供するよう求める要求を受信したときに、所定のダウンリンクコンポーネントキャリアに関するチャネル情報を確定することができる。
所定のダウンリンクコンポーネントキャリアは、プライマリダウンリンクコンポーネントキャリアとすることができる。
所定のダウンリンクコンポーネントキャリアは、制御シグナリングを使用して構成することができる。
所定のダウンリンクコンポーネントキャリアは、ネットワーク制御要素によって構成することができる。
【００３５】
非周期的チャネル情報を提供するよう求める要求は、アップリンクグラント内に含めることができ、アップリンクグラントは、スケジュールされるアップリンクコンポーネントキャリアと、選択されたダウンリンクコンポーネントキャリアとの組み合わせ表示を含むことができる。
組み合わせ表示は、キャリアインジケータフィールド内に含めることができる。
非周期的チャネル情報を提供するよう求める要求は、アップリンクグラント内に含めることができ、同時にアップリンクデータを伴わずに非周期的チャネル情報を送信するよう要求される場合、非周期的チャネル情報を提供するよう求める要求は、未使用のシグナリングビットもしくは状態内に含めることができ、又はシグナリングビットもしくは状態のいくつかは、非周期的チャネル情報を提供するよう求める要求に関して再解釈することができる。
【００３６】
方法は、
選択されたコンポーネントキャリア以外の他のコンポーネントキャリアのうちの少なくとも１つについてのチャネル情報を提供するステップと、
他のコンポーネントキャリアのうちの少なくとも１つについてのチャネル情報を送信するステップと
をさらに含むことができる。
他のコンポーネントキャリアのうちの少なくとも１つについてのチャネル情報は、広帯域チャネル情報とすることができる。
他のコンポーネントキャリアのうちの少なくとも１つは、制御シグナリングを使用して構成することができる。
他のコンポーネントキャリアのうちの少なくとも１つは、ネットワーク制御要素によって構成することができる。
【００３７】
制御シグナリングは、無線リソース制御シグナリング又は媒体アクセス制御シグナリングとすることができる。
他のコンポーネントキャリアのうちの少なくとも１つに関する情報は、非周期的チャネル情報を提供するよう求める要求内に含めることができる。
チャネル情報は、ネットワーク制御要素に送信することができる。
ネットワーク制御要素は、ｅＮｏｄｅ−Ｂ、中継ノード、又はホームｅＮｏｄｅ−Ｂとすることができる。
非周期的チャネル情報を提供するよう求める要求は、アップリンクグラント内に含めることができる。
方法は、ユーザ機器又はユーザ機器の部分によって実施することができる。
チャネル情報は、チャネル状態情報、及び／又は、チャネル品質インジケータを含むことができる。
【００３８】
本発明のいくつかの実施形態の第４の態様によれば、
複数のコンポーネントキャリアのうちの選択されるダウンリンクコンポーネントキャリアに関する非周期的チャネル情報を提供するよう求める要求を生成するステップと、
その要求を送信するステップと
を含む方法が提供される。
第４の態様は、以下のように変更することができる。
方法は、
非周期的チャネル情報を提供するよう求める要求に応答して送信された非周期的チャネル情報を受信するステップ
をさらに含むことができる。
それについての非周期的チャネル情報が提供されるコンポーネントキャリア上で、非周期的チャネル情報を提供するよう求める要求を送信することができる。
方法は、
選択されるダウンリンクコンポーネントキャリアを決定するためのインジケータを生成するステップであって、インジケータが、非周期的チャネル情報を提供するよう求める要求とともに送信される、ステップ
をさらに含むことができる。
非周期的チャネル情報を提供するよう求める要求及びインジケータは、アップリンクグラント内に含めることができる。
【００３９】
選択されるダウンリンクコンポーネントキャリアは、所定のダウンリンクコンポーネントキャリアとすることができる。
所定のダウンリンクコンポーネントキャリアは、プライマリダウンリンクコンポーネントキャリアとすることができる。
所定のダウンリンクコンポーネントキャリアは、制御シグナリングを使用して構成することができる。
【００４０】
制御シグナリングは、無線リソース制御シグナリング又は媒体アクセス制御シグナリングとすることができる。
方法は、
非周期的チャネル情報を提供するよう求める要求をアップリンクグラント内に含めるステップであって、アップリンクグラントが、スケジュールされるアップリンクコンポーネントキャリアと、選択されたダウンリンクコンポーネントキャリアとの組み合わせ表示を含む、ステップ
をさらに含むことができる。
組み合わせ表示は、キャリアインジケータフィールド内に含めることができる。
方法は、
非周期的チャネル情報を提供するよう求める要求をアップリンクグラント内に含めるステップと、
同時にアップリンクデータを伴わずに非周期的チャネル情報を送信するよう要求される場合、非周期的チャネル情報を提供するよう求める要求を未使用のシグナリングビットもしくは状態内に含めるステップ、又はシグナリングビットもしくは状態のいくつかを非周期的チャネル情報を提供するよう求める要求に関して再解釈するステップと
をさらに含むことができる。
方法は、
選択されたコンポーネントキャリア以外の他のコンポーネントキャリアのうちの少なくとも１つについてのチャネル情報を提供するよう求める要求を生成するステップ
をさらに含むことができる。
他のコンポーネントキャリアのうちの少なくとも１つについてのチャネル情報は、広帯域チャネル情報とすることができる。
非周期的チャネル情報は、ユーザ機器から受信することができる。
非周期的チャネル情報を提供するよう求める要求は、アップリンクグラント内に含めることができる。
方法は、ネットワーク制御要素又はネットワーク制御要素の部分によって実施することができ、ネットワーク制御要素は、ｅＮｏｄｅ−Ｂとすることができる。
チャネル情報は、チャネル状態情報、及び／又は、チャネル品質インジケータを含むことができる。
【００４１】
本発明のいくつかの実施形態の第５の態様によれば、コンピュータ上で実行されたときに、第３及び第４の態様のいずれか一方及びそれらの変更による方法を実行するためのコード手段を含む、コンピュータプログラム製品が提供される。
コンピュータプログラム製品は、コンピュータ可読媒体上に具現される。
コンピュータプログラム製品は、コンピュータの内部メモリに直接的にロード可能とすることができる。
【００４２】
本発明のいくつかの実施形態の第６の態様によれば、
複数のコンポーネントキャリアのうちの選択されるダウンリンクコンポーネントキャリアに関する非周期的チャネル情報を提供するよう求める要求を受信するための手段と、
選択されるダウンリンクコンポーネントキャリアを決定し、選択されたダウンリンクコンポーネントキャリアに関するチャネル情報を確定するための手段と、
選択されたダウンリンクコンポーネントキャリアに関するチャネル情報を送信するための手段と
を備える装置が提供される。
第６の態様は、以下のように変更することができる。
【００４３】
装置は、どのコンポーネントキャリアが非周期的チャネル情報を提供するよう求める要求を搬送したかに基づいて、選択されるダウンリンクコンポーネントキャリアを決定するための手段を備えることができる。
装置は、非周期的チャネル情報を提供するよう求める要求とともに送信されるインジケータに基づいて、選択されるダウンリンクコンポーネントキャリアを決定するための手段を備えることができる。
装置は、選択されたコンポーネントキャリア以外の他のコンポーネントキャリアのうちの少なくとも１つについてのチャネル情報を提供するための手段と、他のコンポーネントキャリアのうちの少なくとも１つについてのチャネル情報を送信するための手段とを備えることができる。
【００４４】
本発明のいくつかの実施形態の第７の態様によれば、
複数のコンポーネントキャリアのうちの選択されるダウンリンクコンポーネントキャリアに関する非周期的チャネル情報を提供するよう求める要求を生成するための手段と、
その要求を送信するための手段と
を備える装置が提供される。
第７の態様は、以下のように変更することができる。
装置は、非周期的チャネル情報を提供するよう求める要求に応答して送信された非周期的チャネル情報を受信するための手段をさらに備えることができる。
装置は、それについての非周期的チャネル情報が提供されるコンポーネントキャリア上で、非周期的チャネル情報を提供するよう求める要求を送信するための手段を備えることができる。
装置は、選択されるダウンリンクコンポーネントキャリアを決定するためのインジケータを生成するための手段と、非周期的チャネル情報を提供するよう求める要求とともにインジケータを送信するための手段とを備えることができる。
装置は、非周期的チャネル情報を提供するよう求める要求をアップリンクグラント内に含めるための手段を備えることができ、アップリンクグラントは、スケジュールされるアップリンクコンポーネントキャリアと、選択されたダウンリンクコンポーネントキャリアとの組み合わせ表示を含むことができる。
【００４５】
装置は、組み合わせ表示をキャリアインジケータフィールド内に含めるための手段を備えることができる。
装置は、非周期的チャネル情報を提供するよう求める要求をアップリンクグラント内に含めるための手段を備えることができ、また同時にアップリンクデータを伴わずに非周期的チャネル情報を送信するよう要求される場合、非周期的チャネル情報を提供するよう求める要求を未使用のシグナリングビットもしくは状態内に含めるための手段、又はシグナリングビットもしくは状態のいくつかを非周期的チャネル情報を提供するよう求める要求に関して再解釈できるための手段を備えることができる。
装置は、選択されたコンポーネントキャリア以外の他のコンポーネントキャリアのうちの少なくとも１つについてのチャネル情報を提供するよう求める要求を生成するための手段を備えることができる。
装置は、非周期的チャネル情報をユーザ機器から受信するための手段を備えることができる。
【００４６】
装置は、非周期的チャネル情報を提供するよう求める要求をアップリンクグラント内に含めるための手段を備えることができる。
上記の変更はどれも、代替を排除する旨を明示的に述べていない限り、それらが言及するそれぞれの態様、及び／又は、実施形態に、単独又は組み合わせで適用できることを理解されたい。
【００４７】
本明細書において上で説明された本発明の目的に関して、以下のことを留意されたい。
ソフトウェアコード部分として実施され、（デバイス、装置、及び／又は、それらのモジュールを例とする、或いは、装置、及び／又は、そのためのモジュールを含むエンティティを例とする）ネットワーク要素又は端末のプロセッサを使用して実行される可能性が高い方法ステップは、ソフトウェアコードから独立しており、方法ステップによって定められる機能が維持される限り、任意の知られたプログラミング言語又は将来開発されるプログラミング言語を使用して、明確に記述することができる。
一般に、どの方法ステップも、実施される機能に関して本発明のアイデアを変更することなく、ソフトウェアとして実施するのに、又はハードウェアによって実施するのに適している。
（例えば、上で説明された実施形態による装置の機能を実施するデバイス、上で説明されたＵＥ、ｅＮｏｄｅ−Ｂなど）上で定められた装置又はその任意のモジュールのハードウェアコンポーネントとして実施される可能性が高い方法ステップ、及び／又は、デバイス、ユニット、もしくは手段は、ハードウェアから独立しており、例えば、ＡＳＩＣ（特定用途向け集積回路）コンポーネント、ＦＰＧＡ（フィールドプログラマブルゲートアレイ）コンポーネント、ＣＰＬＤ（複合プログラム可能論理回路）コンポーネント、又はＤＳＰ（デジタル信号プロセッサ）コンポーネントを使用して、ＭＯＳ（金属酸化膜半導体）、ＣＭＯＳ（相補型ＭＯＳ）、ＢｉＭＯＳ（バイポーラＭＯＳ）、ＢｉＣＭＯＳ（バイポーラＣＭＯＳ）、ＥＣＬ（エミッタ結合論理）、ＴＴＬ（トランジスタトランジスタ論理）など、任意の知られたハードウェア技術もしくは将来開発されるハードウェア技術、又はそれらの任意の混成物を使用して実施することができる。
（例えば、上で定められた装置、又はそのそれぞれの手段のいずれか１つなど）デバイス、ユニット、又は手段は、個別のデバイス、ユニット、又は手段として実施することができるが、これは、デバイス、ユニット、又は手段の機能が維持される限り、それらをシステムにおいて分散方式で実施することを排除しない。
装置は、半導体チップ、チップセット、又はそのようなチップもしくはチップセットを含む（ハードウェア）モジュールによって表すことができるが、これは、装置又はモジュールの機能が、ハードウェアで実施される代わりに、プロセッサ上で動作し／実行される実行可能ソフトウェアコード部分を含む、コンピュータプログラム又はコンピュータプログラム製品などの（ソフトウェア）モジュール内のソフトウェアとして実施される可能性を排除しない。
デバイスは、１つの装置と見なすことができ、又は例えば、機能が互いに協力し合うか、それとも同じデバイス筐体内にあっても機能が互いに独立しているかに係わらず、２つ以上の装置の集合体と見なすことができる。
【００４８】
上で説明された実施形態及び例は、もっぱら説明の目的で提供されたものであり、本発明をそれらに限定することは決して意図していないことに留意されたい。むしろ、添付の特許請求の範囲の主旨及び範囲内に包含されるすべての変形及び変更が含まれることが意図されている。
【図１】
2013524561.tif 000003
【図２Ａ】
2013524561.tif 000004
【図２Ｂ】
2013524561.tif 000005
【図３】
2013524561.tif 000006
【国際調査報告】
2013524561.tif 000007
2013524561.tif 000008